(57)【要約】  調光制御装置は、車両のウィンドシールドに設けられ、ウィンドシールドの光の透過率を変更可能な透過率変更部と、ユーザによる前記ウィンドシールドへの接触操作の位置を検出する検出部と、前記検出部の検出面において予め設定された制御開始領域への接触操作が前記検出部により検出されたことを条件に、前記検出面に対する接触操作の位置に応じて前記透過率を変更する調光制御部と、を備える。
2015098312.tif 000002
【特許請求の範囲】
【請求項１】
車両のウィンドシールドに設けられ、前記ウィンドシールドの光の透過率を変更可能な透過率変更部と、
ユーザによる前記ウィンドシールドへの接触操作の位置を検出する検出部と、
前記検出部の検出面において予め設定された制御開始領域への接触操作が前記検出部により検出されたことを条件に、前記検出面に対する前記接触操作の位置に応じて前記透過率を変更する調光制御部と、
を備える調光制御装置。
【請求項２】
請求項１に記載の調光制御装置であって、
前記検出部は、前記透過率変更部の第１端部を検出面の一部に含み、
前記制御開始領域は、前記透過率変更部の第１端部に設定されており、
前記調光制御部は、前記制御開始領域への接触操作が前記検出部により検出された後に、ユーザが前記接触操作として、前記制御開始領域内の第１接触位置から第２接触位置までスライド操作した場合、前記第１端部と前記第２接触位置とに基づいて決定される領域を、前記ユーザによって前記透過率が変更される対象領域として設定する、
調光制御装置。
【請求項３】
請求項２に記載の調光制御装置であって、
前記検出部の検出面には、前記対象領域の端部であって、前記第１端部とは反対側の第２端部に前記制御開始領域が再設定され、
前記調光制御部は、前記制御開始領域への接触操作が前記検出部により検出された後に、ユーザが前記接触操作として、前記制御開始領域内の第３接触位置から第４接触位置までスライド操作した場合、前記第１端部と前記第４接触位置とに基づいて決定される領域を前記対象領域として設定する、
調光制御装置。
【請求項４】
請求項２又は３に記載の調光制御装置であって、
前記調光制御部は、前記第１端部と反対側の第２端部から前記第１端部に向かう方向と直交する方向への、ユーザによるスライド操作に応じて、前記対象領域の透過率を変更する、
調光制御装置。
【請求項５】
請求項４に記載の調光制御装置であって、
前記調光制御部は、前記対象領域内において、ユーザにより前記直交する方向へのスライド操作が行われた場合に、前記対象領域の透過率を変更する、
調光制御装置。
【請求項６】
請求項４に記載の調光制御装置であって、
前記検出部は、前記検出面における端部であって、前記第１端部とは反対側の第３端部に前記制御開始領域を設定し、
前記調光制御部は、前記第３端部から前記第１端部に向かう方向と直交する方向への、前記制御開始領域内におけるユーザによるスライド操作に応じて、前記対象領域の透過率を変更する、
調光制御装置。
【請求項７】
請求項２から６のうちいずれか一項に記載の調光制御装置であって、
前記ウィンドシールドは、少なくともフロントウィンドシールド、リアウィンドシールド、サイドウィンドシールドのいずれかであり、
前記制御開始領域は、前記検出部の上端に設定されている、
調光制御装置。
【請求項８】
車両のウィンドシールドに設けられ、前記ウィンドシールドの光の透過率を変更可能な透過率変更部と、
前記透過率変更部における表面のうち端部に沿った所定範囲の領域のみに設けられ、ユーザによる前記ウィンドシールドへの接触操作の位置を検出する検出部と、
前記検出部の検出面における前記接触操作の位置に応じて前記透過率を変更する調光制御部と、
を備える調光制御装置。
【請求項９】
車両のウィンドシールドに設けられ、前記ウィンドシールドの光の透過率を変更可能な透過率変更部と、
前記透過率変更部における表面のうち所定範囲の領域に設けられ、ユーザによる前記ウィンドシールドへの接触操作の位置を検出する検出部と、
前記検出部の検出面における前記接触操作の位置に応じて前記透過率を変更する調光制御部と、
を備え、
前記ウィンドシールドは、サイドウィンドシールドであり、
前記調光制御部は、前記ウィンドシールドが開いている場合、前記透過率の変更を行わない、
調光制御装置。
【請求項１０】
請求項９に記載の調光制御装置であり、
前記検出部は、前記透過率変更部の下端側であって、前記ウィンドシールドの下側の所定範囲の領域に設けられる、
調光制御装置。
【発明の詳細な説明】
【技術分野】
【０００１】
この発明は、調光制御装置に関する。
本願は、２０１３年１２月２７日に出願された日本国特願２０１３−２７２４６９号に基づき優先権を主張し、その内容をここに援用する。
【背景技術】
【０００２】
近年、車両内におけるプライバシーの保護や、停車時における車内温度の上昇を抑制する等の目的により、自動車のウィンドシールドの透過率を変化させる技術が開発されている。【０００３】
これに関連し、車両が所定の場所に到着すると、ウィンドシールド全体の透過率を下げ、その後、ユーザが指等で接触した箇所の透過率を上げる車載調光装置が開示されている（特許文献１参照）。この車載調光装置では、さらに、車両の停車時に透過率の制御が許可され、車両の走行時に透過率の制御が禁止される。
【先行技術文献】
【特許文献】
【０００４】
【特許文献１】日本国特許第５２３１８４６号
【発明の概要】
【発明が解決しようとする課題】
【０００５】
しかしながら、従来の車載調光装置では、例えば、車両の停止中に、ユーザが誤ってウィンドシールドに触れた場合や、ウィンドシールドの曇りを払うために拭った場合等であっても、触れた箇所の透過率が上がってしまい、ユーザの意図に反して調光制御が行われてしまうという問題があった。【０００６】
そこで本発明の態様は、上記従来技術の問題に鑑みてなされたものであり、ユーザの意図に反した調光制御が行われることを抑制することができる調光制御装置を提供する。
【課題を解決するための手段】
【０００７】
（１）本発明の一態様に係る調光制御装置は、車両のウィンドシールドに設けられ、前記ウィンドシールドの光の透過率を変更可能な透過率変更部と、ユーザによる前記ウィンドシールドへの接触操作の位置を検出する検出部と、前記検出部の検出面において予め設定された制御開始領域への接触操作が前記検出部により検出されたことを条件に、前記検出面に対する前記接触操作の位置に応じて前記透過率を変更する調光制御部と、を備える。【０００８】
（２）上記（１）の態様において、前記検出部は、前記透過率変更部の第１端部を検出面の一部に含んでもよく、前記制御開始領域は、前記透過率変更部の第１端部に設定されてもよく、前記調光制御部は、前記制御開始領域への接触操作が前記検出部により検出された後、ユーザが前記接触操作として、前記制御開始領域内の第１接触位置から第２接触位置までスライド操作した場合、前記第１端部と前記第２接触位置とに基づいて決定される領域を、前記ユーザによって前記透過率が変更される対象領域として設定してもよい。【０００９】
（３）上記（２）の態様において、前記検出部の検出面には、前記対象領域の端部であって、前記第１端部とは反対側の第２端部に前記制御開始領域が再設定されてもよく、前記調光制御部は、前記制御開始領域への接触操作が前記検出部により検出された後に、ユーザが前記接触操作として、前記制御開始領域内の第３接触位置から第４接触位置までスライド操作した場合、前記第１端部と前記第４接触位置とに基づいて決定される領域を前記対象領域として設定してもよい。【００１０】
（４）上記（２）又は（３）の態様において、前記調光制御部は、前記第１端部と反対側の第２端部から前記第１端部に向かう方向と略直交する方向への、ユーザによるスライド操作に応じて、前記対象領域の透過率を変更してもよい。【００１１】
（５）上記（４）の態様において、前記調光制御部は、前記対象領域内において、ユーザにより前記略直交する方向へのスライド操作が行われた場合に、前記対象領域の透過率を変更してもよい。【００１２】
（６）上記（４）の態様において、前記検出部は、前記検出面における端部であって、前記第１端部とは反対側の第３端部に前記制御開始領域を設定してもよく、前記調光制御部は、前記第３端部から前記第１端部に向かう方向と略直交する方向への、前記制御開始領域内におけるユーザによるスライド操作に応じて、前記対象領域の透過率を変更してもよい。【００１３】
（７）上記（１）から（６）のいずれか一項の態様において、前記ウィンドシールドは、少なくともフロントウィンドシールド、リアウィンドシールド、サイドウィンドシールドのいずれかであってもよく、前記制御開始領域は、前記検出部の上端に設定されてもよい。【００１４】
（８）本発明の別の一態様に係る調光制御装置は、車両のウィンドシールドに設けられ、前記ウィンドシールドの光の透過率を変更可能な透過率変更部と、前記透過率変更部における表面のうち端部に沿った所定範囲の領域のみに設けられ、ユーザによる前記ウィンドシールドへの接触操作の位置を検出する検出部と、前記検出部の検出面における前記接触操作の位置に応じて前記透過率を変更する調光制御部と、を備える。【００１５】
（９）本発明の別の一態様に係る調光制御装置は、車両のウィンドシールドに設けられ、前記ウィンドシールドの光の透過率を変更可能な透過率変更部と、前記透過率変更部の検出面のうち所定範囲の領域に設けられ、ユーザによる前記ウィンドシールドへの接触操作の位置を検出する検出部と、前記検出部の検出面における前記接触操作の位置に応じて前記透過率を変更する調光制御部と、を備え、前記ウィンドシールドは、サイドウィンドシールドであり、前記調光制御部は、前記ウィンドシールドが開いている場合、前記透過率の変更を行わない。【００１６】
（１０）上記（９）の態様において、前記検出部は、前記透過率変更部の下端側であって、前記ウィンドシールドの下側の所定範囲の領域に設けられてもよい。
【発明の効果】
【００１７】
上記（１）の態様によれば、調光制御装置は、検出部の検出面において予め設定された制御開始領域への接触操作が、検出部により検出されたことを条件に、検出面に対する接触操作の位置に応じて透過率を変更する。そのため、ユーザの意図に反した調光制御が行われることを抑制することができる。【００１８】
上記（２）の態様によれば、調光制御装置は、制御開始領域への接触操作が検出部により検出された後に、ユーザが接触操作として、制御開始領域内の第１接触位置から第２接触位置までスライド操作した場合、第１端部と第２接触位置とに基づいて決定される領域を、ユーザによって透過率が変更される対象領域として設定する。そのため、ユーザが意図せずに制御開始領域に触れる可能性を低減することができ、透過率変更部の第１端部を目印とした、ユーザにとって探しやすい制御開始領域を提供することができる。さらに、調光制御装置は、対象領域をロールサンシェードやスライドサンシェードのように拡縮することができる。この結果、ユーザは直感的な操作によって対象領域を出現させることができる。【００１９】
上記（３）の態様によれば、調光制御装置は、検出部の検出面には、防眩領域の端部であって、検出部の上端とは反対側の下端に制御開始領域を再設定し、検出部の検出面において予め設定された制御開始領域への接触操作が検出部により検出された後に、ユーザが接触操作として、制御開始領域内の第３接触位置から第４接触位置までスライド操作した場合、第１端部と第４接触位置とに基づいて決定される領域を対象領域として設定する。そのため、より直感的にユーザが眩しさを防止する領域を拡縮することができる。【００２０】
上記（４）、（５）、（６）の態様によれば、調光制御装置は、第１端部と反対側の第２端部から第１端部に向かう方向と略直交する方向への、ユーザによるスライド操作に応じて、対象領域の透過率を変更する。そのため、ユーザによるスライド操作によって誤操作が生じることを抑制することができる。【００２１】
上記（７）の態様によれば、調光制御装置は、少なくともフロントウィンドシールド、リアウィンドシールド、サイドウィンドシールドのいずれかに設けられており、制御開始領域が、検出部の上端に設定されている。そのため、ユーザが直感的に眩しさを防止する領域を設定することができる。何故なら、上下方向に延びる車両の面に設けられた窓開口部（フロントウィンドシールド、リアウィンドシールド、サイドウィンドシールド）を通じて車内に入光する光は、通常、窓開口部の上端側から入光するため、調光制御装置は、スライド動作に応じてその上端から下方へ防眩領域を広げることで、ユーザが直感的に眩しさを防止する領域を設定することができる。【００２２】
上記（８）の態様によれば、調光制御装置は、透過率変更部における表面のうち端部に沿った所定範囲の領域のみに設けられた検出部の検出面における接触操作の位置に応じて光の透過率を変更する。そのため、上記（１）の態様と同様の効果が得られるのに加えて、誤操作による光の透過率の変更を抑制することができる。また、調光制御装置は、検出部が透過率変更部における表面のうち端部に沿った所定範囲の領域のみに設けられるため、ユーザに透過率変更部を基に検出部の位置を把握させることができる。【００２３】
上記（９）の態様によれば、調光制御装置は、サイドウィンドシールドに設けられ、検出部の検出面において予め設定された制御開始領域への接触操作を、検出部により検出されたことを条件に、検出面に対する接触操作の位置に応じて透過率を変更し、サイドウィンドシールドが開いている場合、透過率の変更を行わない。そのため、例えば、サイドウィンドシールドが開いている状態のように、窓開口部の上端部近傍からの光の入射が防止できず、その他の領域で調光を行っても眩しさを防止することができない場合において、ユーザが意図しない調光（無駄な調光）を防止できる。【００２４】
上記（１０）の態様によれば、調光制御装置は、検出部が、透過率変更部の下端側であって、ウィンドシールドの下側の所定範囲の領域に設けられる。そのため、ユーザが窓部を開くことで、検出部の検出面が車両のドアの内部に収容されることでユーザが接触できない状態になり、ユーザが光の透過率の変更を行うことができなくなる。この結果、調光制御装置は、ウィンドシールドを開いているようなそもそも防眩領域を必要としない状況において、誤操作による光の透過率の変更をより確実に防止することができる。
【図面の簡単な説明】
【００２５】
【図１】四輪自動車の窓部に取り付けられた本実施形態に係る調光制御装置の構成例を示す図である。
【図２】接触位置検出部と透過率変更部とを重ね合わせて一体形成される窓部の構造の一例を示す図である。
【図３】接触位置検出部と透過率変更部とを重ね合わせて一体形成される窓部の構造の他の例を示す図である。
【図４】複数の領域に分割された電極が貼付された透過率変更部の構造を模式的に示す図である。
【図５】図４に示す領域Ａ１のＡ―Ａ方向における断面図の一例である。
【図６Ａ】領域Ａ１〜Ａ２に対して電圧が印加され、透過性が変更された様子を示している。
【図６Ｂ】領域Ａ１〜Ａ４に対して電圧が印加され、透過性が変更された様子を示している。
【図６Ｃ】領域Ａ１〜Ａｎに対して電圧が印加され、透過性が変更された様子を示している。
【図７】図６ＢにおけるＢ―Ｂ方向における断面図の一例である。
【図８】図６ＢにおけるＢ―Ｂ方向における断面図の他の例である。
【図９】防眩領域が設定されていない状態から、ユーザのスライド操作により防眩領域が設定される様子を示す図である。
【図１０】図９に示した場面における調光制御部による処理の流れの一例を示すフローチャートである。
【図１１】防眩領域が設定されている状態から、ユーザのスライド操作により防眩領域が再設定される様子を示す図である。
【図１２】防眩領域が設定されている状態から、ユーザのスライド操作により防眩領域の光の透過率が変更される様子を示す図である。
【図１３】防眩領域が設定されていない状態から、窓部の一部をカバーするよう設けられた接触位置検出部へのユーザのスライド操作により防眩領域が設定される様子を示す図である。
【図１４】接触位置検出部が窓部の下端部に設けられている場合に、接触位置検出部へのユーザのスライド操作により防眩領域が設定される様子を示す図である。
【図１５】接触位置検出部が窓部の下端部に設けられている場合に、接触位置検出部へのユーザのスライド操作により防眩領域が設定される様子を示す図である。
【図１６】窓部の全体が防眩領域として設定されている状態から、ユーザのピンチアウト操作により窓部の一部の領域の透過率が変更される様子を示す図である。
【発明を実施するための形態】
【００２６】
＜第１の実施形態＞
以下、本発明の第１の実施形態について、図面を参照して説明する。図１は、四輪自動車の窓部Ｗに取り付けられた本実施形態に係る調光制御装置１の構成例を示す図である。
【００２７】
窓部Ｗは、例えば、車両の側面の窓を形成するサイドウィンドシールドである。調光制御装置１は、例えば、接触位置検出部２と、透過率変更部３と、位置取得部４と、調光制御部５とを備える。以下、調光制御装置１が搭載される四輪自動車の進行方向をＸ方向、車両幅方向をＹ方向、鉛直方向をＺ方向とした直行座標系を用いて説明する。
【００２８】
調光制御装置１は、ユーザにより窓部Ｗに対して行われる接触操作の位置（以下、接触位置）を検出し、検出された接触位置に応じて、窓部Ｗの光の透過率を変更する。このため、調光制御装置１は、例えば、窓部Ｗの光の透過率を低くすることで、車両内におけるプライバシーを保護することができ、さらに、停車時における車内温度の上昇を抑制することができる。
【００２９】
なお、調光制御装置１が取り付けられる窓部Ｗは、サイドウィンドシールドに限られず、リアウィンドシールドやフロントウィンドシールド、サンルーフ等に取り付けられてもよい。また、調光制御装置１は、四輪自動車の窓部Ｗに取り付けられるのに代えて、例えば、自動二輪車のウィンドシールド等に取り付けられてもよい。
【００３０】
図１の領域ＳＡは、調光制御装置１によって窓部Ｗの光の透過率が低く変更された防眩領域である。ここで、防眩領域とは、車両内のユーザが、車両外からの光に幻惑されることを防ぐために窓部Ｗの光の透過率が低くされた領域のことである。防眩領域は、対象領域の一例である。
【００３１】
接触位置検出部２は、例えば、静電容量方式、抵抗膜方式等の接触検知機構である。接触位置検出部２は、窓部Ｗに対して車室内側から、ユーザが指等で行った接触操作の位置（接触位置）を検出し、その座標を示す情報を位置取得部４に出力する。接触位置検出部２は、窓部Ｗの一部または全部をカバーするように設けられる。接触位置検出部２は、透過率変更部３や後述する中間膜等と重ねられ、窓部Ｗとして一体形成される。
【００３２】
透過率変更部３は、印加される電圧に応じて光の透過率が変化する平板状の部材である。例えば、液晶やＳＰＤ（Suspended  Particle  Device）、ＥＣ（Electrochromic）ガラス等が透過率変更部３として用いられる。透過率変更部３は、窓部Ｗの一部または全部をカバーするように設けられる。透過率変更部３は、接触位置検出部２とともに、中間膜等と重ねられ、窓部Ｗとして一体形成される。第１の実施形態において、透過率変更部３は、窓部Ｗにおいて略水平方向に延在するように設定された複数の帯状領域毎に、透過率を変更可能である。
【００３３】
位置取得部４は、接触位置検出部２から接触位置を示す情報を取得し、取得した接触位置を示す情報を、調光制御部５に出力する。調光制御部５は、位置取得部４から入力される情報に基づいて透過率変更部３を制御する。図１に示した調光制御部５から透過率変更部３への複数の矢印は、透過率変更部３の複数の帯状領域に対応して設けられたそれぞれの電極に対する電圧信号を示している。
【００３４】
次に、図２及び図３を参照することで、接触位置検出部２と透過率変更部３とを重ね合わせて一体形成される窓部Ｗの構造を説明する。図２は、接触位置検出部２と透過率変更部３とを重ね合わせて一体形成される窓部Ｗの構造の一例を示す図である。窓部Ｗは、例えば、図２に示したように、ガラスＧ、中間膜Ｐ、接触位置検出部２、中間膜Ｐ、透過率変更部３、中間膜Ｐ、ガラスＧの順に重ねられて一体形成される合わせガラスタイプの構造を持つ。中間膜Ｐは、例えば、透明なＰＶＢ（ポリビニルブチラール）膜等である。中間膜Ｐは、ガラスＧが割れた場合にガラス片が飛散することを抑制することに加えて、接触位置検出部２及び透過率変更部３をそれぞれ防護する。
【００３５】
図３は、接触位置検出部２と透過率変更部３とを重ね合わせて一体形成される窓部Ｗの構造の他の例を示す図である。図３に示した窓部Ｗの構造は、図２に示した合わせガラスタイプと異なり、単一ガラス（強化ガラス）タイプである。窓部Ｗは、例えば、図３に示したように、ハードコートフィルムＨ、接触位置検出部２、中間膜Ｐ、透過率変更部３、中間膜Ｐ、強化ガラスＴＧの順に重ねられて一体形成された構造を有する。ハードコートフィルムＨは、外光の反射や映り込みなどを抑制する光学フィルムである。
【００３６】
以下、透過率変更部３の構造について、より詳細に説明する。図４は、複数の帯状領域に対応して電極が設けられた透過率変更部３の構造を模式的に示す図である。図４において、領域Ａ１〜Ａｎは、個別に透過率を変更可能な帯状領域を示している。各帯状領域では、スパッタリング等により形成された光透過性のある電極が、電圧が印加されることによって光透過性が変化する部材を挟んで対向するように設けられている。調光制御部５は、図示しないバスバー（Bus  bar）を介して、各電極に個別に電圧を印加する。
【００３７】
図５は、図４に示す領域Ａ１のＡ―Ａ方向における断面図の一例である。透過率変更部３では、光透過性可変部材３Ａを挟むように電極３Ｂ１、３Ｂ２が設けられている。電極３Ｂ１、３Ｂ２には、例えば、導電性を有し、可視光の透過率が高いＩＴＯ（酸化インジウムスズ）等が用いられる。図４に示す構造において、電極３Ｂ１、３Ｂ２は、各領域に個別に電圧が印加できるように、電極３Ｂ１、３Ｂ２の双方が領域毎に（すなわちＺ方向に関して）互いに離間した構造、或いは電極３Ｂ１、３Ｂ２の一方が領域毎に互いに離間した構造となっている。
【００３８】
更に、電極３Ｂ１と電極３Ｂ２には、例えば光透過性可変部材３Ａと対向する反対側の面に、銀等の導電インクによるメッシュ状（格子状）のプリントが、高速電圧印加用メッシュ３Ｃ１、３Ｃ２として設けられている。高速電圧印加用メッシュ３Ｃ１、３Ｃ２は、Ｘ方向における電圧の伝達速度Ｖが電極３Ｂ１、３Ｂ２よりも速い。そのため、高速電圧印加用メッシュ３Ｃ１、３Ｃ２を設けることにより、各領域内において電圧の伝達遅れにより透過率のムラが生じるのを抑制することができる。なお、高速電圧印加用メッシュ３Ｃ１、３Ｃ２は、銀の導電インクに代えて、ＩＴＯよりも伝導率が高い何らかの導電インクによってプリントされてもよい。また、透過率変更部３は、高速電圧印加用メッシュ３Ｃ１、３Ｃ２を省略した構成としてもよい。
【００３９】
高速電圧印加用メッシュ３Ｃ１、３Ｃ２も電極３Ｂ１、３Ｂ２と同様、各領域に個別に電圧が印加できるように、高速電圧印加用メッシュ３Ｃ１、３Ｃ２の双方が領域毎に離間した構造、或いは高速電圧印加用メッシュ３Ｃ１、３Ｃ２の一方が領域毎に互いに離間した構造となっている。なお、電極３Ｂ１のみが領域毎に互いに離間した構造である場合、高速電圧印加用メッシュ３Ｃ１のみが領域毎に離間した構造とされ、電極３Ｂ２のみが領域毎に互いに離間した構造である場合、高速電圧印加用メッシュ３Ｃ２のみが領域毎に互いに離間した構造とされる。
【００４０】
図６Ａ〜図６Ｃは、領域Ａ１〜Ａｎの一部または全部に対して電圧が印加され、透過性が変更された様子を示している。前述した図４は、いずれの領域にも電圧が印加されていない様子を示している。これに対し、図６Ａは、領域Ａ１およびＡ２の電極３Ｂ１、３Ｂ２（および高速電圧印加用メッシュ３Ｃ１、３Ｃ２）に電圧が印加された様子を示している。これによって、領域Ａ１、Ａ２の光透過性可変部材３Ａは、光の透過性を低下させる。この結果、領域Ａ１およびＡ２が、防眩領域ＳＡを形成することになる。なお、残余の領域Ａ３〜Ａｎは、防眩領域ＳＡよりも光の透過性が高い非防眩領域ＮＳＡを形成する。
【００４１】
また、図６Ｂは、領域Ａ１〜Ａ４の電極３Ｂ１、３Ｂ２（および高速電圧印加用メッシュ３Ｃ１、３Ｃ２）に電圧が印加された様子を示している。これによって、領域Ａ１〜Ａ４の光透過性可変部材３Ａは、光の透過性を低下させる。この結果、領域Ａ１〜Ａ４が、防眩領域ＳＡを形成することになる。なお、残余の領域Ａ５〜Ａｎは、防眩領域ＳＡよりも光の透過性が高い非防眩領域ＮＳＡを形成する。
【００４２】
また、図６Ｃは、領域Ａ１〜Ａｎの電極３Ｂ１、３Ｂ２（および高速電圧印加用メッシュ３Ｃ１、３Ｃ２）に電圧が印加された様子を示している。これによって、領域Ａ１〜Ａｎの光透過性可変部材３Ａは、光の透過性を低下させる。この結果、領域Ａ１〜Ａｎが、防眩領域ＳＡを形成することになる。
【００４３】
図７は、図６ＢにおけるＢ―Ｂ方向における断面図の一例である。図７は、電極３Ｂ１（および高速電圧印加用メッシュ３Ｃ１）、電極３Ｂ２（および高速電圧印加用メッシュ３Ｃ２）の双方が領域毎に離間した構造を採用する場合の断面図を示している。
【００４４】
また、図８は、図６ＢにおけるＢ―Ｂ方向における断面図の他の例である。図８は、電極３Ｂ１（および高速電圧印加用メッシュ３Ｃ１）のみが領域毎に離間し、電極３Ｂ２（および高速電圧印加用メッシュ３Ｃ２）は領域毎に離間していない構造を採用する場合の断面図を示している。なお、製造上の理由等により、電極や高速電圧印加用メッシュと同様、中間膜Ｐも領域毎に離間した構造としてもよい。
【００４５】
調光制御部５は、ユーザにより接触位置検出部２の検出面に対してスライド操作が行われた際、位置取得部４により取得されたスライド操作の開始位置が制御開始領域にあることを条件に、透過率変更部３の透過率を変更する制御を行う。制御開始領域とは、接触位置検出部２の検出面の一部又は全部の範囲に設定された領域である。また、調光制御部５は、スライド操作の終了位置に基づいて、透過率変更部３における電圧を印加する領域を決定する。第１の実施形態において調光制御部５は、窓部Ｗの上端部とスライド操作の終了位置を結ぶ直線上に存在する領域の透過率を低下させて防眩領域ＳＡとするように、該当する領域の電極３Ｂ１、３Ｂ２（および高速電圧印加用メッシュ３Ｃ１、３Ｃ２；以下省略する）に電圧を印加する。
【００４６】
次に、図９〜１１を参照することで、ユーザのスライド操作に基づく調光制御装置１の動作について説明する。図９は、防眩領域ＳＡが設定されていない状態から、ユーザのスライド操作により防眩領域ＳＡが設定される様子を示す図である。図９の一点鎖線で囲んだ領域Ｓ１は、窓部Ｗを構成する透過率変更部３の上端部に位置する接触位置検出部２の検出面に設定された制御開始領域である。なお、制御開始領域の位置は、窓部Ｗの上端部に設定されてもよい。この場合、接触位置検出部２の上端部が、透過率変更部３の上端部よりも上側まで延びているものとしてよい。接触位置検出部２の上端部は、第１端部の一例である。
【００４７】
なお、本実施形態において、接触位置検出部２は、窓部Ｗ又は透過率変更部３の全部をカバーするように設けられているが、これに代えて、透過率変更部３の上端部を検出面の一部に含むように設けられてもよい。この場合、調光制御装置１は、第１の実施形態において説明する処理と同様の処理によって、窓部Ｗに防眩領域を出現させることができる。
【００４８】
図９に示したように、調光制御部５は、防眩領域ＳＡが出現していない状態において、制御開始領域Ｓ１内における第１接触位置Ｆ１にユーザがタッチし、第２接触位置Ｆ２までスライド操作を行うと、透過率変更部３の上端部３Ｄから第２接触位置Ｆ２までを結ぶ直線Ｌ１上に存在する領域に電圧が印加されるように、該当する領域の電極３Ｂ１、３Ｂ２に電圧を印加する。そのため、防眩領域ＳＡ１は、図９に示すように、窓部Ｗの上端部（≒３Ｄ）から、ユーザがスライド操作を終了した位置に至る領域となるように設定される。
【００４９】
これによって、本実施形態の調光制御装置１を使用するユーザは、あたかもロールサンシェードを下すような動作、すなわち直感的な操作によって、防眩領域ＳＡ１を出現させることができる。なお、制御開始領域の幅は、例えば、３センチメートル程度と設定される。
【００５０】
なお、調光制御装置１は、これに代えて、透過率変更部３の上端部３Ｄから、第２接触位置Ｆ２に基づいて算出される何らかの位置までを結ぶ直線上に存在する領域に電圧が印加されるように、透過率変更部３に電圧を印加してもよい。また、調光制御装置１は、透過率変更部３の下端部や左端部、右端部、あるいは予め決められた所定の位置から、第２接触位置Ｆ２に基づいて算出された何らかの位置までを結ぶ直線上に存在する領域に電圧が印加されるように、透過率変更部３に電圧を印加してもよい。
【００５１】
次に、図１０を参照することで、図９に示した場面における調光制御部５による処理の流れを説明する。図１０は、図９に示した場面における調光制御部５による処理の流れの一例を示すフローチャートである。本フローチャートの処理は、防眩領域ＳＡが設定されていない状態で開始される。まず、調光制御部５は、制御開始領域において接触位置が検出されるまで待機する（ステップＳ１００）。制御開始領域において接触位置が検出されると、スライド操作が行われたか否かを判定する（ステップＳ１１０）。スライド操作が行われなかった場合、ステップＳ１００に戻り、再度、制御開始領域において接触位置が検出されるまで待機する。
【００５２】
スライド操作が行われると、調光制御部５は、第２接触位置すなわち、その時点における接触操作の位置を取得する（ステップＳ１２０）。そして、調光制御部５は、透過率変更部３の上端部３Ｄと、取得した第２接触位置とを結ぶ直線上に存在するすべての領域に対して電圧を印加する（ステップＳ１３０）。次に、調光制御部５は、ユーザによるスライド操作が終了したか否かを判定する（ステップＳ１４０）。調光制御部５は、スライド操作が終了していないと判定した場合、ステップＳ１２０に戻り、第２接触位置を再取得する。一方、調光制御部５は、スライド操作が終了していると判定した場合、図１０のフローチャートの処理を終了する。
【００５３】
図１１は、防眩領域ＳＡ１が設定されている状態から、ユーザのスライド操作により防眩領域ＳＡ２が再設定される様子を示す図である。調光制御部５は、図９に示す状態において、ユーザが接触位置検出部２から指を離すと、制御開始領域Ｓ２を、防眩領域ＳＡ１のうち制御開始領域が設定されている上端部３Ｄとは反対側の端部（図９における２Ｂ）を基準として再設定する。例えば、透過率変更部３の上端部３Ｄと反対側の端部２Ｂは、第２端部の一例である。図１１に示した領域Ｓ２は、再設定された制御開始領域を示す。調光制御部５は、例えばＸ方向に沿って延在する端部２Ｂから所定幅ずつ＋Ｚ方向および−Ｚ方向に変位した帯状の位置として、制御開始領域Ｓ２を設定する。また、これに代えて、調光制御部５は、端部２Ｂを基準とした他の手法により制御開始領域Ｓ２を設定してもよい。ユーザが領域Ｓ２内の第３接触位置Ｆ３の位置にタッチし、タッチしたまま第４接触位置Ｆ４の位置までスライド操作を行うと、調光制御部５は、例えば、透過率変更部３の上端部３Ｄと、第４接触位置Ｆ４とに基づいて、防眩領域を再設定する（図１１中に防眩領域ＳＡ２として示される）。
【００５４】
次に、図１２を参照することで、制御開始領域内におけるＸ方向へのユーザのスライド操作に基づく調光制御装置１の動作について説明する。図１２は、防眩領域ＳＡ１が設定されている状態から、制御開始領域Ｓ２へのユーザのスライド操作により防眩領域ＳＡ１の光の透過率が変更される様子を示す図である。調光制御部５は、制御開始領域Ｓ２内における透過率変更部３の上端部３Ｄと反対側の下端部から上端部３Ｄに向かう方向と略直交する方向（Ｘ方向）への、ユーザによるスライド操作に応じて、防眩領域ＳＡ１の透過率を変更する。なお、調光制御部５は、制御開始領域Ｓ２の外又は制御開始領域Ｓ２の内外に跨る領域における、透過率変更部３の上端部３Ｄと反対側の下端部から上端部３Ｄに向かう方向と略直交する方向への、ユーザによるスライド操作に応じて、防眩領域ＳＡ１の透過率を変更するものとしてもよい。
【００５５】
より具体的には、調光制御部５は、図９に示す状態から図１２（Ａ）に示すように制御開始領域Ｓ２における第５接触位置Ｆ５にユーザがタッチし、制御開始領域Ｓ２における第６接触位置Ｆ６までスライド操作（Ｘ方向の正の方向へのスライド操作）を行うと、防眩領域ＳＡ１に印加されている電圧を高くする。そのため、防眩領域ＳＡ１の光の透過率は、図９に示した防眩領域ＳＡ１の光の透過率よりも低下する。この逆に、調光制御部５は、Ｘ方向の負の方向へのスライド操作によって、防眩領域ＳＡ１の光の透過率を低下させてもよい。
【００５６】
一方、調光制御部５は、図９に示す状態から図１２（Ｂ）に示すように制御開始領域Ｓ２における第７接触位置Ｆ７にユーザがタッチし、制御開始領域Ｓ２における第８接触位置Ｆ８までスライド操作（Ｘ方向の負の方向へのスライド操作）を行うと、防眩領域ＳＡ１に印加されている電圧を低くする。そのため、防眩領域ＳＡ１の光の透過率は、図９に示した防眩領域ＳＡ１の光の透過率よりも向上する。なお、調光制御部５は、Ｘ方向の正の方向へのスライド操作によって、防眩領域ＳＡ１の光の透過率を向上させてもよい。
【００５７】
また、調光制御部５は、ユーザによる何らかの操作によって、窓部Ｗ全体を防眩領域にした後、防眩領域の一部を光の透過性が高い領域にするように、上記で説明した動作を行うものとしてもよい。ユーザによる何らかの操作とは、例えば、制御開始領域に対して一度又は複数回のタッチを行う等である。
【００５８】
このように、第１の実施形態に係る調光制御装置１は、接触位置検出部２の検出面において予め設定された制御開始領域への接触操作が検出されたことを条件に、ユーザによる接触位置に基づいて透過率変更部３の透過率を変更する。そのため、ユーザの意図に反した調光制御が行われることを抑制することができる。
【００５９】
また、調光制御装置１において、透過率変更部３の上端部は接触位置検出部２の検出面の一部として含まれ、制御開始領域は透過率変更部３の上端部に設定される。そのため、ユーザが意図せずに制御開始領域に触れる可能性を低減することができる。さらに、調光制御装置１は、このように制御開始領域を設定するため、透過率変更部３の上端部を目印とした、ユーザにとって探しやすい制御開始領域を提供することができる。
【００６０】
また、調光制御装置１は、接触位置検出部２の検出面において予め設定された制御開始領域への接触操作が検出部により検出された後に、ユーザが接触操作として、制御開始領域内の第１接触位置から第２接触位置までスライド操作した場合、第１端部と第２接触位置とに基づいて決定される領域を、ユーザの接触操作によって透過率が変更される防眩領域として設定する。そのため、防眩領域をロールサンシェードやスライドサンシェードのように拡縮することができる。この結果、ユーザは直感的な操作によって防眩領域を出現させることができる。
【００６１】
また、調光制御装置１は、接触位置検出部２の検出面に、すでに形成されている防眩領域の端部に制御開始領域を再設定し、再設定された制御開始領域への接触操作が接触位置検出部２により検出された後に、ユーザが接触操作として、制御開始領域内の第３接触位置から第４接触位置までスライド操作した場合、第１端部と第４接触位置とに基づいて決定される領域を防眩領域として設定する。そのため、より直感的にユーザが眩しさを防止する領域を拡縮することができる。
【００６２】
また、調光制御装置１は、接触位置検出部２の上端部と反対側の下端部から、上端部に向かう方向と略直交する方向への、ユーザによる接触位置のスライド操作に応じて、防眩領域の光の透過率を変更する。そのため、ユーザによるスライド操作によって誤操作が生じることを抑制することができる。
【００６３】
＜第２の実施形態＞
以下、本発明の第２の実施形態について、図面を参照して説明する。第２の実施形態に係る調光制御装置１では、窓部Ｗの全面をカバーするように接触位置検出部２が設けられるのに代えて、窓部Ｗの一部をカバーするように接触位置検出部２が設けられる。その他の構成には、例えば、透過率変更部３の構造等を援用し、同じ機能部に対して同一の符号を付して説明を省略する。
【００６４】
ここで、図１３を参照することで、透過率変更部における表面のうち所定範囲の領域に設けられた接触位置検出部２へのユーザのスライド操作に基づく調光制御装置１の動作について説明する。調光制御部５は、透過率変更部３における表面のうち所定範囲の領域に設けられた接触位置検出部２の検出面におけるユーザのスライド操作に応じて、透過率変更部３の光の透過率を変更する。図１３は、防眩領域が設定されていない状態から、窓部Ｗの一部をカバーするよう設けられた接触位置検出部２へのユーザのスライド操作により防眩領域ＳＡ３が設定される様子を示す図である。図１３の一点鎖線で囲んだ領域Ｓ３は、窓部Ｗに設けられた接触位置検出部２が存在する領域である。
【００６５】
図１３に示したように、調光制御部５は、防眩領域が出現していない状態において、接触位置検出部２が設けられた領域Ｓ３内における第９接触位置Ｆ９にユーザがタッチし、第１０接触位置Ｆ１０までスライド操作を行うと、第９接触位置Ｆ９から第１０接触位置Ｆ１０までを結ぶ直線Ｌ２の長さを算出し、透過率変更部３の上端部３ＤからＺ方向の負の方向に算出した長さに応じた位置Ｐ１までを結ぶ直線Ｌ３上に存在する領域に電圧が印加されるように、該当する領域の電極３Ｂ１、３Ｂ２に電圧を印加する。そのため、防眩領域ＳＡ３は、図１３に示すように、窓部Ｗの上端部（≒３Ｄ）から、ユーザのスライド操作に基づいて算出された長さに応じた位置Ｐ１に至る領域となるように設定される。なお、算出された長さは、位置に関する情報の一例である。また、調光制御部５は、算出された長さに基づいて、所定の演算を行い、その演算結果に基づいて、電圧を印加する電極を選択するものとしてもよい。
【００６６】
なお、接触位置検出部２は、窓部Ｗの右端部に代えて、窓部Ｗの左端部に設けられてもよいし、図１４に示すような窓部Ｗの下端部や、図１５に示すような窓部Ｗの上端部に設けられてもよい。
【００６７】
図１４は、接触位置検出部２が窓部Ｗの下端部に設けられている場合に、接触位置検出部２へのユーザのスライド操作により防眩領域ＳＡ４が設定される様子を示す図である。図１４に示した例では、調光制御部５は、図１３に示した例と同様に、接触位置検出部２が設けられた領域Ｓ４内における第１１接触位置Ｆ１１にユーザがタッチし、第１２接触位置Ｆ１２までスライド操作を行うと、第１１接触位置Ｆ１１から第１２接触位置Ｆ１２までを結ぶ直線Ｌ４の長さを算出し、透過率変更部３の上端部３ＤからＺ方向の負の方向に向かい、直線Ｌ４に応じた長さを有する直線Ｌ５上に存在する領域に電圧が印加されるように、該当する領域の電極３Ｂ１、３Ｂ２に電圧を印加する。ここで、調光制御部５は、直線Ｌ４が長くなるのに応じて、直線Ｌ５を長くする傾向で、直線Ｌ５の長さを算出する。例えば、図１４に示されるように、接触位置検出部２の検出面における端部であって、透過率変更部３の上端部３Ｄと反対側の端部３Ｅは、第３端部の一例である。
【００６８】
一方、図１５は、接触位置検出部２が窓部Ｗの下端部に設けられている場合に、接触位置検出部２へのユーザのスライド操作により防眩領域ＳＡ５が設定される様子を示す図である。図１５に示した例では、調光制御部５は、図１３に示した例と同様に、接触位置検出部２に設けられた領域Ｓ５内における第１３接触位置Ｆ１３にユーザがタッチし、第１４接触位置Ｆ１４までスライド操作を行うと、第１３接触位置Ｆ１３から第１４接触位置Ｆ１４までを結ぶ直線Ｌ６の長さを算出し、透過率変更部３の上端部３ＤからＺ方向の負の方向に向かい、直線Ｌ６に応じた長さを有する直線Ｌ７上に存在する領域に電圧が印加されるように、該当する領域の電極３Ｂ１、３Ｂ２に電圧を印加する。ここで、調光制御部５は、直線Ｌ６が長くなるのに応じて、直線Ｌ７を長くする傾向で、直線Ｌ７の長さを算出する。
【００６９】
このように、第２の実施形態に係る調光制御装置１は、透過率変更部３における表面のうち端部に沿った所定範囲の領域のみに設けられた接触位置検出部２の検出面における接触操作の位置に応じて光の透過率を変更する。そのため、第１の実施形態と同様の効果が得られるのに加えて、更に誤操作による光の透過率の変更を抑制することができる。
特に、調光制御装置１は、接触位置検出部２の検出面における所定範囲の領域が窓部Ｗの下端部に設定された場合、ユーザが窓部Ｗを開くことで、接触位置検出部２の検出面が車両のドアの内部に収容されることでユーザが接触できない状態になるため、ユーザが光の透過率の変更を行うことができなくなる。この結果、第２の実施形態に係る調光制御装置１は、窓部Ｗを開いているようなそもそも防眩領域を必要としない状況において、誤操作による光の透過率の変更をより確実に防止することができる。
【００７０】
＜第３の実施形態＞
以下、本発明の第３の実施形態について、図面を参照して説明する。第３の実施形態に係る調光制御装置１は、透過率変更部３の電極３Ｂ１、３Ｂ２が個別に透過率を変更可能な格子状領域を形成しており、電極３Ｂ１、３Ｂ２の双方が領域毎に互いに離間した構造、或いは電極３Ｂ１、３Ｂ２の一方が領域毎に互いに離間した構造となっている。そして、調光制御部５は、ユーザによる接触位置検出部２へのピンチイン、ピンチアウト等の接触操作によって防眩領域の大きさを調整する。その他の構成には、例えば、同じ機能部に対して同一の符号を付して説明を省略する。
【００７１】
図１６は、窓部Ｗの全体が防眩領域ＳＡ６として設定されている状態から、ユーザのピンチアウト操作により窓部Ｗの一部の領域の透過率が変更される様子を示す図である。調光制御部５は、窓部Ｗの全体が防眩領域ＳＡ６として設定されている状態において、接触位置検出部２における第１５接触位置Ｆ１５にユーザがタッチすると、図１６（Ａ）に示すように、タッチされた位置を含む所定の範囲内に存在する領域ＮＳＡ１の電圧の印加を解除するように、該当する領域の電極３Ｂ１、３Ｂ２への電圧を解除する。所定の範囲とは、例えば、ユーザのタッチ位置を示す座標を中心とする半径３センチの円状の範囲である。
【００７２】
そして、調光制御部５は、図１６（Ｂ）に示すような接触位置検出部２における第１６接触位置Ｆ１６までユーザがピンチアウト操作を行うと、ピンチアウト操作によって算出される第１６接触位置Ｆ１６の２点間距離の変化量に応じて、領域ＮＳＡ１を、図１６（Ｂ）に示した領域ＮＳＡ２のように拡大させる。なお、調光制御部５は、電圧が解除された領域が設定されている状態から、ユーザがピンチイン操作を行うと、電圧が解除された領域を縮小させる。また、調光制御部５は、ピンチイン操作を行うと、電圧が解除された領域が拡大し、ピンチアウト操作を行うと、電圧が解除された領域が縮小するように制御してもよい。
【００７３】
また、調光制御部５は、ユーザによる何らかの操作によって、窓部Ｗ全体に防眩領域が出現していない状態において、そのような領域の一部を光の透過性が低い防眩領域にするように、第３の実施形態で説明した動作を行うものとしてもよい。ユーザによる何らかの操作とは、例えば、制御開始領域に対して一度又は複数回のタッチを行う等である。
【００７４】
このように、第３の実施形態に係る調光制御装置１は、窓部Ｗ全体が防眩領域として設定されている状態において、ユーザがタッチを行った接触位置の光の透過率を向上させ、ピンチイン操作、ピンチアウト操作によって、光の透過率が向上した領域の大きさを変更する。そのため、防眩領域の調整に関して、ユーザに直感的な操作を提供することができる。
【００７５】
以上、この発明の実施形態を、図面を参照して詳述してきたが、具体的な構成はこの実施形態に限られるものではなく、この発明の要旨を逸脱しない限り、変更、置換、削除等されてもよい。
【符号の説明】
【００７６】
１  調光制御装置、２  接触位置検出部、３  透過率変更部、４  位置取得部、５  調光制御部
【図１】
2015098312.tif 000003
【図２】
2015098312.tif 000004
【図３】
2015098312.tif 000005
【図４】
2015098312.tif 000006
【図５】
2015098312.tif 000007
【図６Ａ】
2015098312.tif 000008
【図６Ｂ】
2015098312.tif 000009
【図６Ｃ】
2015098312.tif 000010
【図７】
2015098312.tif 000011
【図８】
2015098312.tif 000012
【図９】
2015098312.tif 000013
【図１０】
2015098312.tif 000014
【図１１】
2015098312.tif 000015
【図１２】
2015098312.tif 000016
【図１３】
2015098312.tif 000017
【図１４】
2015098312.tif 000018
【図１５】
2015098312.tif 000019
【図１６】
2015098312.tif 000020
【手続補正書】
【提出日】平成27年3月19日(2015.3.19)
【手続補正１】
【補正対象書類名】特許請求の範囲
【補正対象項目名】全文
【補正方法】変更
【補正の内容】
【特許請求の範囲】
【請求項１】
車両のウィンドシールドに設けられ、前記ウィンドシールドの光の透過率を変更可能な透過率変更部と、
ユーザによる前記ウィンドシールドへの接触操作の位置を検出する検出部と、
前記検出部の検出面において予め設定された制御開始領域への接触操作が前記検出部により検出されたことを条件に、前記検出面に対する前記接触操作の位置に応じて前記透過率を変更する調光制御部と、を備え、
前記検出部は、前記透過率変更部の第１端部を検出面の一部に含み、
前記制御開始領域は、前記透過率変更部の第１端部に設定されており、
前記調光制御部は、前記制御開始領域への接触操作が前記検出部により検出された後に、ユーザが前記接触操作として、前記制御開始領域内の第１接触位置から第２接触位置までスライド操作した場合、前記第１端部と前記第２接触位置とに基づいて決定される領域を、前記ユーザによって前記透過率が変更される対象領域として設定する、
調光制御装置。
【請求項２】
（削除）
【請求項３】
請求項１に記載の調光制御装置であって、
前記検出部の検出面には、前記対象領域の端部であって、前記第１端部とは反対側の第２端部に前記制御開始領域が再設定され、
前記調光制御部は、前記制御開始領域への接触操作が前記検出部により検出された後に、ユーザが前記接触操作として、前記制御開始領域内の第３接触位置から第４接触位置までスライド操作した場合、前記第１端部と前記第４接触位置とに基づいて決定される領域を前記対象領域として設定する、
調光制御装置。
【請求項４】
請求項１又は３に記載の調光制御装置であって、
前記調光制御部は、前記第１端部と反対側の第２端部から前記第１端部に向かう方向と直交する方向への、ユーザによるスライド操作に応じて、前記対象領域の透過率を変更する、
調光制御装置。
【請求項５】
請求項４に記載の調光制御装置であって、
前記調光制御部は、前記対象領域内において、ユーザにより前記直交する方向へのスライド操作が行われた場合に、前記対象領域の透過率を変更する、
調光制御装置。
【請求項６】
請求項４に記載の調光制御装置であって、
前記検出部は、前記検出面における端部であって、前記第１端部とは反対側の第３端部に前記制御開始領域を設定し、
前記調光制御部は、前記第３端部から前記第１端部に向かう方向と直交する方向への、前記制御開始領域内におけるユーザによるスライド操作に応じて、前記対象領域の透過率を変更する、
調光制御装置。
【請求項７】
請求項１、３から６のうちいずれか一項に記載の調光制御装置であって、
前記ウィンドシールドは、少なくともフロントウィンドシールド、リアウィンドシールド、サイドウィンドシールドのいずれかであり、
前記制御開始領域は、前記検出部の上端に設定されている、
調光制御装置。
【請求項８】
（削除）
【請求項９】
（削除）
【請求項１０】
（削除）
【国際調査報告】
2015098312.tif 000021
2015098312.tif 000022
2015098312.tif 000023
2015098312.tif 000024